(57)【要約】      （修正有）【課題】キーと表示部を最適に配置することで、小型化を図り、また直感的な操作を可能として操作性を向上すると共にカウントの確認も容易にできる交通量調査集計用入力装置を提供する。【解決手段】交通量調査集計用入力装置は、１種類の移動物体種別に対し、左折、直進、右折の３つの移動方向をカウント入力するための左折、直進、右折に対応した３個のキーを備えたキー入力部１と、１種類の移動物体種別に対し、左折、直進、右折の３つの移動方向毎に個別に表示するようにしたデータ表示部２とを備え、移動物体種別を４種類とし、キー入力部１、及びデータ表示部２の左折、直進、右折にそれぞれ対応した３個のキー、及び３つの移動方向毎の個別の表示箇所を横方向に順に配置し、４種類の移動物体種別を縦方向に配置して、合計１２個のキー、及び１２個の表示箇所を縦４個×横３個のマトリクス状に配置し、キー入力部１の上側にデータ表示部２を配置する。【選択図】図２
2010128872.tif 000002
【特許請求の範囲】
【請求項１】
１種類の移動物体種別に対し、左折、直進、右折の３つの移動方向をカウント入力するための左折、直進、右折にそれぞれ対応した３個のキーを備えるようにしたキー入力部と、
前記キー入力部の左折、直進、右折に対応したキーのカウント操作入力によるカウント値を、１種類の移動物体種別に対し、左折、直進、右折の３つの移動方向毎に個別に表示するようにしたデータ表示部と、
前記キー入力部の左折、直進、右折に対応したキーのカウント操作入力を検出することで、キー操作入力されたキーに対応した、左折、直進、右折に対応する前記表示部のカウント値を＋１して表示させる制御部と、
を備えた交通量調査集計用入力装置にあって、
移動物体種別を４種類とし、
前記キー入力部は、４種類の移動物体種別とすることで、１２個のキーをマトリクス状に配置するように構成し、
前記データ表示部は、４種類の移動物体種別とすることで、前記１２個のキーに対応するよう１２個の個別の表示箇所をマトリクス状に配置するように構成したことを特徴とする交通量調査集計用入力装置。
【請求項２】
前記キー入力部の、左折、直進、右折の３つの移動方向をカウント入力するための左折、直進、右折にそれぞれ対応した３個のキーを横方向に順に配置し、４種類の移動物体種別を縦方向に配置して、前記１２個のキーを縦４個×横３個のマトリクス状に配置し、
前記データ表示部の、左折、直進、右折の３つの移動方向毎の個別の表示箇所を横方向に配置し、４種類の移動物体種別を縦方向に配置して、前記１２個の表示箇所を縦４個×横３個のマトリクス状に配置し、
前記キー入力部の上側に前記データ表示部を配置するようにすると共に、キー入力部の、左折、直進、右折に対応する３個のキーの位置と、前記データ表示部の、左折、直進、右折に対応する３個の表示箇所の位置とを移動方向毎に縦方向で並ぶように配置したことを特徴とする請求項１記載の交通量調査集計用入力装置。
【請求項３】
キークリック発音部と、キークリック表示部とを設け、
前記制御部は、前記キー入力部のキーのカウント操作入力を検出する度に前記キークリック発音部からクリック音を鳴動させると共に前記キークリック表示部を点灯させることを特徴とする請求項１又は２記載の交通量調査集計用入力装置。
【請求項４】
時計計時部と、データ記憶部とを設け、
前記制御部は、前記キー入力部のキーのカウント操作入力毎に、前記時計計時部から時刻情報を取得し、この時刻情報及び操作されたキーに対応した移動物体種別情報、移動方向情報からなるカウント情報を前記データ記憶部に記憶させると共に、最小集計単位時間毎に移動物体種別と移動方向の集計を行い、この集計情報を集計時刻情報と共に前記データ記憶部に記憶させることを特徴とする請求項１乃至３のいずれかに記載の交通量調査集計用入力装置。
【請求項５】
ＧＰＳ受信部を設け、
前記制御部は、前記ＧＰＳ受信部から調査現場位置情報及び基準時刻情報を取得し、この調査現場位置情報を前記データ記憶部に記憶させると共に、この基準時刻情報を前記時計計時部に初期設定することを特徴とする請求項４記載の交通量調査集計用入力装置。
【請求項６】
外部に設けられるコンピュータとの通信制御を行う通信部とを設け、
前記制御部は、前記キー入力部のキーのカウント操作入力毎に、操作されたキーに対応した移動物体種別情報、移動方向情報からなるカウント情報を、前記外部に設けられるコンピュータに対し前記通信部を介してリアルタイムで出力させることを特徴とする請求項１乃至３のいずれかに記載の交通量調査集計用入力装置。 
【発明の詳細な説明】
【技術分野】
【０００１】
本発明は、道路の交通量調査で使用される交通量調査集計用入力装置に関する。
【背景技術】
【０００２】
一般的に道路の交通量調査は、複数人の調査員が道路の近辺に座り、道路を移動する車種及び移動方向を目視で観察し、機械式のカウンターを複数個使用しながらカウントして、予め決められた時刻毎、例えば５〜１０分毎にカウンター値を読み取り記録表に書き込むようにしている。集計作業は別途行われ、この記録表に書き込んである数値を読み取り、例えば１時間単位で、車種と移動方向について集計作業を行うようにしている。
【０００３】
このように従来の交通量調査は、カウント作業、記録表への書き込み作業、集計作業の、その殆どがアルバイトを含む調査員等による手作業で行われていることから、作業負担が大きい、作業ミスが起こり易い、集計に時間が掛かるといった課題があった。
【０００４】
このような課題を解決する交通量調査手段として、携帯電話等に交通量測定のための専用プログラムを組込んで、携帯電話の操作キーの押下をカウントし、計測した移動物体毎の交通量データをサーバーに無線送信してサーバー側で集計させるシステムが開示されている（特許文献１参照）。また、内蔵したカレンダータイマーにより、指定時刻毎にカウント調査データをメモリ部に自動記録し、更にメモリ部に記録した調査データを外部に接続されるパソコンに伝送して集計させるカウンタ調査用携帯型ターミナルといったものが開示されている（特許文献２参照）。
【特許文献１】特開２００４−３０２８１６号公報
【特許文献２】特開平６−１８７５２５号公報
【発明の開示】
【発明が解決しようとする課題】
【０００５】
しかしながら、特許文献１の交通量調査システムにあっては、携帯電話に専用のプログラムを組込まなければならないこと、集計の為のサーバーを用意しなければならないこと、さらに、調査者には高齢者の方等もいることから携帯電話の小さなキーでは操作し難いことなどの課題が挙げられる。また、特許文献２のカウンタ調査用携帯型ターミナルにあっては、図２に示されるように、カウンターキーの並びが縦に移動方向であり、また横に種別が８車種分配置されているので直感的な操作が難しく、かなりの習熟を必要とされるものである。また、カウンターキーと表示器が横に配置されていることから、カウンターキー毎のカウント数を表示器に横並びに配置するとすれば、装置全体として大型化してしまうため、操作し難いものになることが考えられる。このような課題が解決していないためと考えられるが、特許文献１や特許文献２に開示される技術を採用した交通量調査装置は本出願人が調査した限りにおいては発見できていない。
【０００６】
現在採用されている一般的な交通量調査集計システムにあっては、コンピュータのプログラムを使用して集計しレポートを作成するのは至極当たり前になってきてはいるが、調査員が操作する入力装置をいかに使い易く構成するかが、交通量調査集計システムの一番大きな課題であり、求められているところである。また、このような従来のシステムにあっては、その殆どの作業を手作業で行っていることから、調査内容の信憑性についてもそれらを明確にする手段が殆ど無かった。さらに、調査員は、夏の暑さや、冬の寒さ、雨風にさらされながらのカウント調査では正確なカウントを保障できない可能性があった。
【０００７】
本発明は、このような課題を解決しようとするものであり、キーと表示部を最適に配置することで、小型化を図り、また直感的な操作を可能として操作性を向上すると共にカウントの確認も容易にして調査員の作業負担を軽減し、更にキーのカウント操作毎の生のカウント情報や最小集計単位時間毎に行う集計情報を記憶又は外部出力するようにして正確な調査結果を得ることができる交通量調査集計用入力装置を提供することを目的とする。
【課題を解決するための手段】
【０００８】
上記目的を達成するため本発明にあって、１種類の移動物体種別に対し、左折、直進、右折の３つの移動方向をカウント入力するための左折、直進、右折にそれぞれ対応した３個のキーを備えるようにしたキー入力部と、キー入力部の左折、直進、右折に対応したキーのカウント操作入力によるカウント値を、１種類の移動物体種別に対し、左折、直進、右折の３つの移動方向毎に個別に表示するようにしたデータ表示部と、キー入力部の左折、直進、右折に対応したキーのカウント操作入力を検出することで、キー操作入力されたキーに対応した、左折、直進、右折に対応する前記表示部のカウント値を＋１して表示させる制御部と、
を備えた交通量調査集計用入力装置にあって、移動物体種別を４種類とし、キー入力部は、４種類の移動物体種別とすることで、１２個のキーをマトリクス状に配置するように構成し、データ表示部は、４種類の移動物体種別とすることで、１２個のキーに対応するよう１２個の個別の表示箇所をマトリクス状に配置するように構成したことを特徴とする。
【０００９】
また、本発明にあっては、キー入力部の、左折、直進、右折の３つの移動方向をカウント入力するための左折、直進、右折にそれぞれ対応した３個のキーを横方向に順に配置し、４種類の移動物体種別を縦方向に配置して、前記１２個のキーを縦４個×横３個のマトリクス状に配置し、データ表示部の、左折、直進、右折の３つの移動方向毎の個別の表示箇所を横方向に配置し、４種類の移動物体種別を縦方向に配置して、１２個の表示箇所を縦４個×横３個のマトリクス状に配置し、キー入力部の上側にデータ表示部を配置するようにすると共に、キー入力部の、左折、直進、右折に対応する３個のキーの位置と、データ表示部の、左折、直進、右折に対応する３個の表示箇所の位置とを移動方向毎に縦方向で並ぶように配置したことを特徴とする。
【００１０】
また、本発明にあっては、キークリック発音部と、キークリック表示部とを設け、制御部は、キー入力部のキーのカウント操作入力を検出する度にキークリック発音部からクリック音を鳴動させると共に前記キークリック表示部を点灯させることを特徴とする。
【００１１】
また、本発明にあっては、時計計時部と、データ記憶部とを設け、制御部は、キー入力部のキーのカウント操作入力毎に、時計計時部から時刻情報を取得し、この時刻情報及び操作されたキーに対応した移動物体種別情報、移動方向情報からなるカウント情報をデータ記憶部に記憶させると共に、最小集計単位時間毎に移動物体種別と移動方向の集計を行い、この集計情報を集計時刻情報と共にデータ記憶部に記憶させることを特徴とする。
【００１２】
また、本発明にあっては、ＧＰＳ受信部を設け、制御部は、ＧＰＳ受信部から調査現場位置情報及び基準時刻情報を取得し、この調査現場位置情報をデータ記憶部に記憶させると共に、この基準時刻情報を時計計時部に初期設定することを特徴とする
【００１３】
また、本発明にあっては、外部に設けられるコンピュータとの通信制御を行う通信部とを設け、制御部は、キー入力部のキーのカウント操作入力毎に、操作されたキーに対応した移動物体種別情報、移動方向情報からなるカウント情報を、外部に設けられるコンピュータに対し通信部を介してリアルタイムで出力させることを特徴とする。 
【発明の効果】
【００１４】
マトリクス状に配置されたキー入力部の１２個のキーとデータ表示部の１２個のデータ表示箇所が位置的に対応するように配置したことで、キーと表示部が最適に配置され、小型化を図ることができ、更に操作性を向上できると共にカウントの確認も容易になる。
【００１５】
また、キー入力部の左折、直進、右折にそれぞれ対応した３個のキーを横方向に順に配置したことで、直感的な操作を可能とし、更に操作性を向上できることで、操作入力ミスを大幅に低減できる。
【００１６】
また、キー入力部のキーのカウント操作入力を検出する度にキークリック発音部からクリック音を鳴動させると共にキークリック表示部を点灯させることで、騒音が高かったり、日光を直接受けるような環境が悪い場所の作業にあっても、キーを押下操作したことを音と光で確認しながら作業を安心して継続することができるため操作性を向上できる。
【００１７】
また、キー入力部のキーのカウント操作入力毎に、時計計時部から時刻情報を取得し、この時刻情報及び操作されたキーに対応した移動物体種別情報、移動方向情報からなるカウント情報をデータ記憶部に記憶させると共に、最小集計単位時間毎、例えば５分毎に移動物体種別と移動方向の集計を行い、この集計情報を集計時刻情報と共にデータ記憶部に記憶させることで、作業者は、記録表への書き込み作業、集計作業を行うことがないため、操作入力作業に集中できると共にこの作業によるミスをなくすことができる。また、キーの操作入力毎に、時刻情報及び操作されたキーに対応した移動物体種別情報、移動方向情報からなる生のカウント情報をデータ記憶部に記憶させていることから、必要に応じてこの生のカウント情報をデータ記憶部から取り出し、詳細な分析が可能となる。
【００１８】
また、ＧＰＳ受信部を設け、このＧＰＳ受信部から調査現場位置情報及び基準時刻情報を取得し、この調査現場位置情報をカウント情報や集計情報と共にデータ記憶部に記憶させておくことで、後で正確な調査現場を確認できると共に取得した基準時刻情報を時計計時部に自動的に初期設定することで正確な時間で情報を記憶することができる。
【００１９】
また、必要に応じて、キー入力部のキーのカウント操作入力毎に、操作されたキーに対応した移動物体種別情報、移動方向情報からなるカウント情報を、通信部を介して外部にリアルタイムで出力させるようにすることで、外部に接続したパソコン集計プログラムを搭載したコンピュータに対しリアルタイムでカウント情報を垂れ流して随時集計を行うことが可能となる。またこのようにすることで、入力装置自体では、データ記憶処理や集計処理などを行うことがないためシンプルな構成にできる。
【発明を実施するための最良の形態】
【００２０】
次に、図を用いて本発明の実施例の形態および動作を順次詳細に説明する。
【００２１】
図１は本発明の交通量調査集計用入力装置の機能構成図、図２は入力装置の外観図を示す。１は、キー入力部であり、１２個のキーをマトリクス状に配置している。具体的には、図２に示すように、１種類の移動物体種別に対し、左折、直進、右折の３つの移動方向をカウント入力するための左折、直進、右折にそれぞれ対応した３個のキーを横方向に順に配置し、移動物体種別を４種類として縦方向に配置して、１２個のキーを縦４個×横３個のマトリクス状に配置している。
【００２２】
移動物体種別の種類としては、乗用車、バス、小型貨物、大型貨物、歩行者、自転車、二輪車などがあるが、この実施形態にあっては、例えば、乗用車、バス、小型貨物、大型貨物の４種類とし、順に縦方向に配置している。１１は、移動方向表示部であり、左折、直進、右折にそれぞれ対応した３個のキーにそれぞれ対応するように、その上部近傍に横方向に順に設けられ、どのキーがどの方向に対応しているかがわかるように表示している。１２は、移動物体種別表示部であり、乗用車、バス、小型貨物、大型貨物の４種類にそれぞれ対応するように、その左部近傍に縦方向に順に設けられ、どのキーがどの種別に対応しているかがわかるように表示している。このように、縦４個×横３個のマトリクス状に配置したキーに対し、その近傍にそれぞれ、移動方向表示部１１、移動物体種別表示部１２を設けて表示していることで、直感的な操作を可能とし、あまり作業に慣れていないような調査者であっても、容易に入力操作を行うことができる。
【００２３】
２はデータ表示部であり、電源投入時には図３に示すように準備状態を表示し、調査開始後は図２に示すように画面左側には移動物体種別を表示し、画面右側には、キー入力部１の１２個のキー配置と対応した位置にそれぞれのカウント値を表示する。具体的には、図２に示すように、１種類の移動物体種別に対し、左折、直進、右折の３つの移動方向毎に個別にカウント値を横方向に順に表示し、画面左側に縦方向に順に移動物体種別、例えば乗用車、バス、小型貨物、大型貨物の４種類を表示するようにすることで、１２個の表示箇所を、キー入力部１の１２個のマトリクス状のキー配置と対応した縦４個×横３個のマトリクス状の配置としている。図２に示すように、キー入力部１の上側にデータ表示部２を配置するようにすると共に、キー入力部１の、左折、直進、右折に対応する３個のキーの位置と、データ表示部２の、左折、直進、右折に対応する３個の表示箇所の位置とを移動方向毎に縦方向で並ぶように配置し、更に、その間に移動方向表示部１１を共通配置するようにしたことで、キーと表示部が最適に配置され、小型化を図ることができ、直感的な操作を可能とし、更に操作性を向上できると共にカウントの確認も容易になる。
【００２４】
３は、キークリック発音部を構成するブザー発音部であり、キー入力部１のキーを押下操作する度に操作者に対し確認の為のブザー音を短時間発する。４は、キークリック表示部を構成するＬＥＤランプ表示部であり、キー入力部１のキーを押下操作する度に操作者に対し確認の為のＬＥＤ発光を短時間行う。キー入力部１のキーのカウント操作入力を検出する度にキークリック発音部からクリック音を鳴動させると共にキークリック表示部を点灯させることで、騒音が高かったり、日光を直接受けるような環境が悪い場所の作業にあっても、キーを押下操作したことを音と光で確認しながら作業を安心して継続することができるため操作性を向上できるものである。
【００２５】
５は制御部であり、装置全体の構成部分を必要に応じて制御する。６はＧＰＳ受信部であり、調査現場位置情報と基準時刻情報を取得する。７は時計計時部であり、ＧＰＳ受信部６から取得した基準時刻情報を基に初期設定を行い正確な現時刻を刻む。８はデータ記憶部であり、図４に示すような１カウント毎の時刻情報及び操作されたキーに対応した移動物体種別情報、移動方向情報からなるカウント情報と、図５に示すような最小集計単位時間毎、例えば５分間毎に集計した移動物体種別毎の移動方向の集計情報を記憶する。このデータ情報は、必要に応じて外部のパソコン集計プログラムに転送する際に読み出される。９は通信部であり、外部のパソコン集計プログラムにデータを転送する際に通信プロトコルを取り仕切る。１３は、時計表示部であり、時計計時部７の時刻を表示する。
【００２６】
図４は、キー入力部１のキーを操作した時の１カウント毎の出力データ例である。ヘッダ情報としてユニット名、ユニット番号からなる装置情報、調査現場の北緯、東経を示す調査現場位置情報（北緯、東経）、１カウント毎のデータ本体として年・月・日、時・分・秒、カウント情報である。カウント情報は、２桁から構成され、１０の位は、移動物体種別に割り当てられており、例えば、１０は乗用車、２０はバス、３０は小型貨物、４０は大型貨物が割り当てられている。１の位は、移動方向に割り当てられており、例えば、１は左折、２は直進、３は右折が割り当てられている。したがって、カウント情報が、「１１」の場合は、乗用車左折という情報ということになる。
【００２７】
図５は、５分間毎の集計情報の出力データ形式例で、ヘッダ情報としてユニット名、ユニット番号からなる装置情報、調査現場の北緯、東経を示す調査現場位置情報（北緯、東経）、項目種別の名称、タイトル、５分間毎の集計出力データ本体として、集計時間を示す年・月・日、時・分・秒、集計情報となる各カウント・データがタイトルに示すような並びとなっている。したがって、例えば、一番最初の「７８」という数値は、２００８年１０月１５日７：００から７：０５未満までの乗用車左折の集計結果ということになる。一番最後の「１９」という数値は、同時間範囲での大型貨物右折の集計結果ということになる。
【００２８】
次に、調査現場での入力装置の操作方法及び動作について説明する。
【００２９】
調査者は、指定の日時に指定の場所に赴き、開始時間前に調査の為の準備を行う。調査者が手にした交通量調査集計用入力装置の電源をＯＮにすると、ＧＰＳ受信部６は、調査現場位置情報と基準時刻情報を取得する。制御部５は、ＧＰＳ受信部６から取得した基準時刻情報を基に時計計時部７の初期設定を行い正確な現時刻を刻むようにすると共にこの調査現場位置情報をデータ記憶部８に記憶させる。更にデータ表示部２にも図３に示すように現時刻を表示し準備完了となるのを待つ。
【００３０】
調査者は、調査開始時刻とともに、調査カウント作業を開始する。調査者は、目の前の調査対象物の種別と移動方向を目視観察し、種別（乗用車、バス、小型貨物、大型貨物）と移動方向（左折、直進、右折）に応じて、キー入力部１の対応するキーを押下操作する。例えば、乗用車左折の場合は、一番上の左側のキーを押下操作することになる。
【００３１】
キーが押下操作されると、制御部５は、このカウント操作入力を検出することで、その位置から乗用車左折であることを認識すると共に、ブザー発音部３を短時間鳴動させ、ＬＥＤランプ表示部４を明滅させる。また、制御部５は、操作入力の検出時に時計計時部７から時刻情報を取得し、図４に示すような、取得した時刻情報及び操作されたキーに対応した移動物体種別情報、移動方向情報からなる１カウント毎の出力データ（カウント情報）をデータ記憶部８に記憶する。カウント情報は、乗用車左折の場合「１１」となる。更に、制御部５は、操作されたキーに対応した該当する５分間毎のデータを＋１して、データ表示部２の操作されたキーに対応した該当する位置に＋１したカウント値を再表示させる。
【００３２】
制御部５は、時計計時部７からの情報により、最小集計単位時間毎例えば５分間毎に、記憶部８に記憶している５分間分の１カウント毎の出力データ（カウント情報）を、移動物体種別毎に移動方向について集計処理を行い、この集計情報を集計時間情報と共に図５に示すような集計出力データ形式で記憶部５に記憶させる。また、制御部５は、最小集計単位時間毎、例えば５分間毎に、データ表示部２へ表示させるためのデータを全てカウント値ゼロにクリアして「０」として再表示させる。調査者は、最小集計単位時間毎例えば５分間毎に、カウント値が全てゼロにクリアされて、データ表示部２の全ての表示が「０」に再表示されても、予めそのようになることを説明されていること、また、時計表示部１３で時刻を確認していることから、正常に動作していることを確認できる。
【００３３】
このようなカウント操作作業を調査終了時刻まで行う。調査が終了したら、交通量調査集計用入力装置をパソコンに接続して、データ記憶部８に記憶されたデータを、外部のパソコンの集計プログラムで読取り集計を行う。
【００３４】
なお、必要に応じて、キー入力部１のキーのカウント操作入力毎に、操作されたキーに対応した移動物体種別情報、移動方向情報からなるカウント情報を、通信部９を介して外部にリアルタイムで出力させるように構成しても良い。外部に接続したパソコン集計プログラムを搭載したコンピュータに対しリアルタイムでカウント情報を垂れ流して随時集計を行うことが可能となる。またこのようにすることで、入力装置自体では、データ記憶処理や集計処理などを行うことがないためシンプルな構成にできる。
【図面の簡単な説明】
【００３５】
【図１】本発明の交通量調査集計用入力装置の機能構成図である。
【図２】本発明の交通量調査集計用入力装置の外観図である。
【図３】本発明のデータ表示部の準備状態表示例である。
【図４】本発明の１カウント毎の出力データ例である。
【図５】本発明の５分間毎の集計出力データ形式例である。
【符号の説明】
【００３６】
１：キー入力部
２：データ表示部
３：ブザー発音部（キークリック発音部）
４：ＬＥＤランプ表示部（キークリック表示部）
５：制御部
６：ＧＰＳ受信部
７：時計計時部
８：データ記憶部
９：通信部
１０：外部コンピュータ
１１：移動方向表示部
１２：移動物体種別表表示部
１３：時計表示部
【図１】
2010128872.tif 000003
【図２】
2010128872.tif 000004
【図３】
2010128872.tif 000005
【図４】
2010128872.tif 000006
【図５】
2010128872.tif 000007